(57)【要約】【課題】  光磁気記録用摺動型磁気ヘッドの情報記録時及び待機時におけるヘッド高さの安定化を図り、且つ情報記録再生装置の全体の更なる薄型化を可能にする。【解決手段】  固定体３２と、固定体３２に接合され自由状態で光磁気記録媒体側へ湾曲されたサスペンションと３３、固定体３２に光磁気記録媒体側への回転角度が規制されるように回動可能に係合され且つサスペンション３３と接合され、サスペンションの弾性により前記光磁気記録媒体側へ付勢されるアーム３４と、光磁気記録媒体側と摺接する摺動部を有する電磁変換部３５とを有して成る。【選択図】      図２
2005063630.tif 000002
【特許請求の範囲】
【請求項１】
固定体と、
前記固定体に接合され、自由状態で光磁気記録媒体側へ湾曲されたサスペンションと、
前記固定体に前記光磁気記録媒体側への回転角度が規制されるように回動可能に係合され、かつ前記サスペンションと接合され、サスペンションの弾性により前記光磁気記録媒体側へ付勢されるアームと、
前記光磁気記録媒体側と摺接する摺動部を有する電磁変換部とを有して成る
ことを特徴とする光磁気記録用摺動型磁気ヘッド。
【請求項２】
前記サスペンションの光磁気記録媒体と反対側の面と、前記アームの光磁気記録媒体側の面とが接合されて成る
ことを特徴とする請求項１記載の光磁気記録用摺動型磁気ヘッド。
【請求項３】
前記固定体と前記サスペンション、および前記サスペンションと前記アームが、夫々抵抗スポット溶接で接合されて成る
ことを特徴とする請求項１記載の光磁気記録用摺動型磁気ヘッド。
【請求項４】
前記サスペンションと前記アームとが、幅方向の略同一線上で接合されて成る
ことを特徴とする請求項１記載の光磁気記録用摺動型磁気ヘッド。
【請求項５】
前記サスペンションの、前記固定体の接合部と前記アームの接合部との間に第１弾性部が形成されて成る
ことを特徴とする請求項１記載の光磁気記録用摺動型磁気ヘッド。
【請求項６】
前記アームに一端が折曲され、該折曲された一端が前記固定体の係合孔に入り込んで前記アームが前記固定体に対して回動可能に係合されて成る
ことを特徴とする請求項１記載の光磁気記録用摺動型磁気ヘッド。
【請求項７】
前記アームの上面の位置が、前記固定体の上面の位置と同じか、またはそれより下に位置して成る
ことを特徴とする請求項１記載の光磁気記録用摺動型磁気ヘッド。
【請求項８】
前記アームが２箇所で回転規制され、
前記アームの上面に接する前記固定体の下面が一方の回転規制部とされ、
前記アームの下面に接する他方の回転規制部が前記固定体の上面より低い位置に存して成る
ことを特徴とする請求項１記載の光磁気記録用摺動型磁気ヘッド。
【請求項９】
前記アームが前記サスペンションの一部に当接されることにより、回転規制されて成る
ことを特徴とする請求項１記載の光磁気記録用摺動型磁気ヘッド。
【請求項１０】
前記固定体に切り欠き部が設けられ、
前記切り欠き部を跨ぐように前記固定体に前記サスペンションが架橋接合され、
前記アームが、前記切り欠き部に入り込み前記固定部の下面と前記サスペンションの架橋部に当接して回転規制されるようにして成る
ことを特徴とする請求項９記載の光磁気記録用摺動型磁気ヘッド。
【発明の詳細な説明】
【技術分野】
【０００１】
本発明は、光磁気記録媒体に接触摺動して光磁気記録を行う光磁気記録用摺動型磁気ヘッドに関する。
【背景技術】
【０００２】
光磁気記録再生装置は、記録層を有する光磁気ディスクを挟んで一方に光ビームを照射する光学ピックアップを配置され、他方に外部磁界を印加する磁気ヘッドが配置される。情報を記録するときは、光ディスクの記録層に磁気ヘッドから記録情報に応じて磁界の向きが変調された磁界を印加すると共に、光ピックアップからの光ビームを照射する。光ビームによってキュリー温度以上に加熱されて消磁した部分が、光ビームの相対的な移動でキュリー温度以下に低下することによって、磁気ヘッドからの磁界による磁化の方向が固定され、情報の記録がなされる。超小型光磁気ディスク装置では、光磁気記録用磁気ヘッドとして、光磁気ディスクに接触摺動して光磁気記録を行う光磁気記録用摺動型磁気ヘッドが使用されている。
【０００３】
図２６は、従来の光磁気記録用摺動型磁気ヘッドの例を示す。この光磁気記録用摺動型磁気ヘッド１は、図２６Ａ，Ｂ，Ｃに示すように、固定体２とサスペンション３とアーム４と電磁変換部である磁気ヘッド本体５とから構成される。固定体２とアーム４とは所定の間隔に保持され、サスペンション３の一端が固定体２にスポット溶接で接合されると共に、サスペンション３の中間部がアーム４にスポット溶接で接合されて、三者が一体化されている。サスペンション３の他端（いわゆる先端部分）には、光磁気ディスクに摺接する摺動部を一体に有するブロック部内に、電磁変換部を構成する磁気コア６とコイルを巻装したコイルボビン７とからなる磁気ヘッド素子８を配置して成る磁気ヘッド本体５が取り付けられる。固定体２は、長方形状の平板部材で形成される。アーム４は、固定体２側から磁気ヘッド５側に向かって延長する両側部４ａ,４ｂを有し、両側部４ａ及び４ｂの先端が連結されると共に、両側部４ａ及び４ｂの中間が連結された形状に形成される。サスペンション３は、板バネ材より成り、固定体２よりアーム４の先端部４ｃ側に延長して形成される。このサスペンション３では、一端が固定体２に対して４箇所の溶接点９で接合され、アーム４に対して中間連結部４ｄを挟んで４箇所の溶接点１０で接合される。サスペンション３の弾性部は、固定体２からアーム４との溶接点１０の間の第１弾性部（いわゆる第１バネ系）３Ａと、アーム４との溶接点１０から折曲されて光磁気ディスク側に湾曲する領域の第２弾性部（いわゆる第２バネ系）３Ｂとを有する。
【０００４】
サスペンション３においては、特に、第１弾性部３Ａの弾性強度を確保するために、第１弾性部３Ａに延長方向に沿うように一部を切り起こして長手方向に沿う２条のリブ１１[１１Ａ,１１Ｂ]が設けられる（図２６８参照）。リブ１１[１１Ａ、１１Ｂ]は、サスペンション３の板面に対して略１５°〜４５°程度に切り起こされている。１２は、フレキシブルプリント基板である。
【０００５】
図２７は、上述の光磁気記録用摺動型磁気ヘッド１を備えた従来の光磁気記録再生装置１３の要部を示す。この光磁気記録再生装置１３は、開閉自在の蓋体１４を有する筐体１５内に光学プックアップ１６が配置されると共に、蓋体１４の開閉に伴って可動するように光磁気記録用摺動型磁気ヘッド１が配置されてなる。筐体１５内には、光磁気記録用摺動型磁気ヘッド１の固定体２と光ピックアップ１６とを連結するためのコの字型ジョイント部材１７は配置され、光学ピックアップ１６がコの字型ジョイント部材１７の下側部１７ｂに取り付けられ、固定体２がコの字型ジョイント部材１７の上側部１７aに取り付けられる。１９は筐体１５の蓋体１４の開閉の回転中心を示す。
【０００６】
この光磁気記録再生装置１３においては、記録時に光磁気ディスク本体２１を収納した光磁気ディスクカートリッジ２２が装置１３内のカートリッジホルダ（図示せず）に装着さる。光磁気ディスクカートリッジ２２の上方及び下方には夫々光磁気記録用摺動型磁気ヘッド１３及び光学ピックアップ１６が位置する。図示せざるも、装置１３内の跳ね上げプレートが移動することにより、光磁気記録用摺動型磁気ヘッド１が待機状態を解除して光磁気ディスク本体２１に接触する。この状態で光磁気ディスク本体２１が中心軸２３を中心に回転され、記録が開始される。再生時は磁気ヘッド１が待機状態に持ち来たされ光学ピックアップで再生が行われる。
【０００７】
上記光磁気記録用摺動型磁気ヘッド１３では、リブ１１[１１Ａ、１１Ｂ]によって待機状態及び情報記録状態でのアーム４の高さを確保する構成となっている。
【０００８】
光磁気記録用摺動型磁気ヘッドの例としては、絞りリブを不要として、サスペンションの曲げ角度の精度を向上し、光磁気ディスクへのヘッド本体の押し当て荷重を安定するように構成が特許文献１に記載されている。
【０００９】
【特許文献１】再公表特許ＷＯ００/５１１１６号（図２０、図２１、第２９頁２行〜１５行参照）
【発明の開示】
【発明が解決しようとする課題】
【００１０】
上述の光磁気記録再生装置１３においては、光磁気ディスクを出し入れする筐体１５の蓋体１４の開状態において、光磁気記録用摺動型磁気ヘッド１が大きく逃げる必要がある。図２７に示すように、磁気ヘッド１の自由状態（図２７Ａ参照）から停止・再生の待機状態（図２７Ｃ参照）、さらに筐体の蓋体１４の開状態、つまりイジェクト状態（図２７Ｄ参照）になる過程で、磁気ヘッド１はサスペンション３の基部、すなわち第１弾性部３Ａの位置を中心に回動することになる。これにより、第１弾性部３Ａのリブ１１Ａ、１１Ｂは閉じられる方向になり、リブ１１Ａ，１１Ｂの根元の部分２７のみに過大な応力が集中してしまう。なお、図２６は、磁気ヘッド１の各動作状態でのリブ１１の変形状態を示す。図２７Ａは自由状態、図２７Ｂは記録状態、図２７Ｃは待機状態（ストップ、プレイ）、図２７Ｄは筐体の開蓋状態（イジェクト）、図２７Ｅは自由状態（筐体の繰り返し開蓋後）を夫々示す。
【００１１】
前述したように、光磁気記録用摺動型磁気ヘッド１では、サスペンション３の高さを保持するための手段として、サスペンション２の固定体２側に略１５°〜４５°程度のリブ１１[１１Ａ，１１Ｂ]を形成して、このリブ１１の剛性によってサスペンション３の高さを保持している。しかし、筐体１５の蓋体１４の開蓋時には、図２７Ｄに示すように切り起こしで形成したリブ１１が閉まる状態となるため、閉じる方向に塑性変形を起こし、サスペンション３を保持する力量が減り、アーム４の高さが徐々に変化してしまう問題があった。
【００１２】
即ち、リブ１１は、特に待機状態→筐体１４の開蓋状態の繰り返しにより、図２７に示したように変形を繰り返すこととなる。このとき、図中○印で示したリブ１１の付け根付近に応力が集中しているため、リブ１１の剛性が徐々に弱くなってしまう。これにより、第１弾性部３Ａと第２弾性部３Ｂとの力量のバランスが崩れ、第２弾性部３Ｂの反力を第１弾性部３Ａの剛性で支えきれなくなり、図２８に示すように待機状態でのヘッド高さ、従ってアーム４の高さh02が、初期の高さh01よりも高くなってしまう。
【００１３】
図１３は、この磁気ヘッド１の繰り返し動作による各動作状態に対する磁気ヘッド素子８の最大高さへの影響を示すグラフである。このグラフから繰り返し動作によりヘッド高さが実線位置から鎖線位置に高くなっているのが分る。従って、磁気ヘッド１が筐体１５（つまり蓋体１４）に接触する問題があり、図２８に示す磁気ヘッド１と筐体１５とのクリアランスＨ1を余計に確保する必要があった。
【００１４】
このように、アーム４の高さの変化分Δhを筐体１５のクリアランスＨ1に加算しなくてはならず、超小型光磁気ディスクシステム等のポータブル機器などでは薄型化に対する問題となっていた。
【００１５】
また、ヘッド高さはアーム４により決定されるが、アーム４から出るサスペンション３の高さも変わってしまうことになる。図２９に示すように、初期状態で調整したコア位置と光学ピックアップ１６との位置関係がずれてしまい記録できなくなる。すなわち、図１９の拡大図に示すように、アーム４の高さ変化によって磁気ヘッド素子５もコア位置が固定体２側へずれることとなり、記録不能になってしまう。この対策としては、磁気ヘッドコアをずれる方向に大型にして磁界を確保する必要がある。しかし、この磁気ヘッド素子５の大型化によって、インダクタンスが増加し高速記録が困難になる上、消費電力が増加するという問題もあった。
【００１６】
本発明は、上述の点に鑑み、光磁気記録再生装置等の情報記録再生装置に適用した場合に、情報記録時及び待機時におけるヘッド高さを安定に保持し、且つ装置全体の更なる薄型化を可能にした光磁気記録用摺動型磁気ヘッドを提供する。
【課題を解決するための手段】
【００１７】
本発明に係る光磁気記録用摺動型磁気ヘッドは、固定体と、この固定体に接合され自由状態で光磁気記録媒体側へ湾曲されたサスペンションと、固定体に光磁気記録媒体側への回転角度が規制されるように回動可能に係合され、かつサスペンションと接合され、サスペンションの弾性により光磁気記録媒体側へ付勢されるアームと、光磁気記録媒体側と摺接する摺動部を有する電磁変換部とを有して成る。
【００１８】
本発明の光磁気記録用摺動型磁気ヘッドでは、アームが固定体に対して光磁気記録用摺動型磁気ヘッドへの回転角度が規制されるように回動可能に係合されるので、アームの光磁気記録媒体側への回動位置が規制され、アームの高さ位置が安定する。サスペンションが固定体とサスペンションとに接合されるので、サスペンション自身をリブなし構造とすることが出来、且つサスペンションの固定体の接合部とアームとの接合部間の弾性部分を長く取ることができ、弾性強度が安定する。アームがサスペンションの弾性により光磁気記録媒体側へ付勢され、しかもアームが固定体により光磁気記録媒体側への回動が規制されることにより、サスペンションに取り付けられた電磁変換部の高さ位置が安定する。記録時に磁気ヘッド素子のコア位置ずれが発生せず、記録不能にならない。
【００１９】
上記光磁気記録用摺動型磁気ヘッドは、サスペンションの光磁気記録媒体と反対側の面と、アームの光磁気記録媒体側の面とを接合した構成とすることが好ましい。
上記光磁気記録用摺動型磁気ヘッドは、固定体とサスペンション、およびサスペンションとアームを、夫々抵抗スポット溶接で接合した構成とするのが好ましい。
上記光磁気記録用摺動型磁気ヘッドは、サスペンションとアームとを、幅方向の略同一線上で接合した構成とするのが好ましい。
上記光磁気記録用摺動型磁気ヘッドは、サスペンションの、固定体の接合部とアームの接合部との間に第１の弾性部を形成した構成されてとするのが好ましい。
【００２０】
上記光磁気記録用摺動型磁気ヘッドは、アームに一端を折曲し、この折曲された一端を固定体の係合孔に入り込ませてアームを固定体に対して回転可能に係合した構成とすることができる。
【００２１】
上記光磁気記録用摺動型磁気ヘッドは、アームの上面の位置を、固定体の上面の位置と同じか、またはそれより下に位置して構成することができる。
上記光磁気記録用摺動型磁気ヘッドは、アームを２箇所で回転規制し、アームの上面に接する前記固定体の下面を一方の回転規制部となし、アームの下面に接する他方の回転規制部を固定体の上面より低い位置に存するように構成することができる。
【００２２】
上記光磁気記録用摺動型磁気ヘッドは、アームをサスペンションの一部に当接することにより、回転規制されるように構成することができる。
この場合の光磁気記録用摺動型磁気ヘッドは、固定体に切り欠き部を設け、この切り欠き部を跨ぐように固定体にサスペンションを架橋接合し、アームを、切り欠き部に入り込ませ固定部の下面とサスペンションの架橋部に当接させて回転規制するように構成することができる。
【発明の効果】
【００２３】
本発明に係る光磁気記録用摺動型磁気ヘッドによれば、サスペンションにおいてバネ性が弱くなるリブを有することなく、例えば超小型光磁気ディスク等の記録・再生を行う情報記録再生装置の中で、情報記録時及び待機時における磁気ヘッド素子の高さを、安定に保持することができる。これによって、情報記録再生装置のより薄型化を可能にすると共に、アーム高さの変化による磁気ヘッド素子のコア位置ずれを回避することができる。このコア位置ずれ回避により磁性コアの大型化を避け、高速記録、低消費電力化を図ることができる光磁気記録用摺動型磁気ヘッドを提供することができる。
【００２４】
サスペンションの光磁気記録媒体と反対側の面とアームの光磁気記録媒体側の面とを接合するので、構造を簡単化してアームを光磁気記録媒体側に付勢することができる。
固定体とサスペンション、およびサスペンションとアームを、夫々抵抗スポット溶接で接合するときは、比較的安価な装置で確実にアッセンブリすることができる。
【００２５】
サスペンションとアームとを幅方向の略同一線上で接合するので、第１弾性部及び第２弾性部の両方の長さを十分確保することができる。
サスペンションの、固定体とアームの接合部との間に第１弾性部を形成することにより、リブを形成することなく、十分なバネ強度を有する弾性部を形成することができる。
【００２６】
アームの折曲された一端を固定体の係合孔に入り込ませてアームを固定体に対して回動可能に係合することにより、アームの光磁気記録媒体側への回転角度を規制し、且つ固定体に対してアームを回動可能にすることができる。
【００２７】
アームの上面の位置を、固定体の上面の位置と同じか、またはそれより下に位置して構成するときは、固定体、サスペンション及びアームを一体とした組み立て体のアーム取り付け側の全体の厚さを薄くすることができる。従って、この光磁気記録用摺動型磁気ヘッドを組み込んだ光磁気記録再生装置の薄型化が図れる
アームを２箇所で回転規制し、アームの上面に接する前記固定体の下面を一方の回転規制部となし、アームの下面に接する他方の回転規制部を固定体の上面より低い位置に存するように構成するときは、固定体、サスペンション及びアームを一体とした組み立て体のアーム取り付け側の全体の厚さを薄くすることができる。従って、この光磁気記録用摺動型磁気ヘッドを組み込んだ光磁気記録再生装置の薄型化が図れる
【００２８】
アームをサスペンションの一部に当接することにより、回転規制されるように構成するときは、固定体、サスペンション及びアームを一体とした組み立て体のアーム取り付け側の全体の厚さを、更に薄くすることができる。従って、この光磁気記録用摺動型磁気ヘッドを組み込んだ光磁気記録再生装置の更なる薄型化が図れる。
この場合、固定体に切り欠き部を設け、この切り欠き部を跨ぐように固定体にサスペンションを架橋接合し、アームを、切り欠き部に入り込ませ固定部の下面とサスペンションの架橋部に当接させて回転規制するように構成すれば、アームの折曲された一端を固定体の係合孔に入り込ませてアームを固定体に対して回動可能に係合させる構成に比べて、固定体の上面のアームの厚み分だけ薄型化される。
【発明を実施するための最良の形態】
【００２９】
以下、図面を参照して本発明の実施の形態を説明する。
【００３０】
図１及び図２は、本発明に係る光磁気記録用摺動型磁気ヘッドの一実施の形態を示す。本実施の形態に係る光磁気記録用摺動型磁気ヘッド３１は、固定体３２と、固定体３２に接合され、自由状態で光磁気記録媒体側へ湾曲されたサスペンション３３と、固定体３２に光磁気記録媒体側への回転角度が規制されるように回転可能に係合され且つサスペンション３３と接合され、サスペンション３３の弾性により光磁気記録媒体側へ付勢されるアーム３４と、光磁気記録媒体側と摺接する摺動部を有する電磁変換部、すなわち磁気ヘッド本体３５とから構成される。
【００３１】
固定体３２は、図４Ａ，Ｂに示すように、平板材よりなり、長方形の長手方向の一辺が突出するような形状に形成され、長手方向の中央及び両端に取付け孔３７が形成されると共に、１辺の突出部に長手方向に沿って２つの係合孔３８[３８ａ,３８ｂ]が形成されて成る。この２つの係合孔３８ａ,３８ｂは、後述するようにサスペンション３３の一方の端部が回動可能に挿入される孔である。
【００３２】
サスペンション３３は、図２及び図５Ａ，Ｂ，Ｃに示すように、平板状をなす板バネ材から成り、固定体３２側よりアーム３４の先端部側に延長するように形成される。サスペンション３３は、自由状態で光磁気記録媒体、例えば光磁気ディスク側に湾曲するように中間の複数箇所、本例では4箇所を同方向に折曲して形成される。４０は折曲部を示す。平板状のサスペンション３３は、長手方向に沿う中央の複数箇所に開口が形成され、本例では第1、第２、第３、第４の開口４１，４２，４３，４４が形成され、後述するようにその固定体側に第1弾性部４５（即ち第1バネ系）が形成され、第1弾性部４５より先端側に第２弾性部４６（即ち第２バネ系）が形成される。サスペンション３３では、中央に沿って形成した複数の開口４１〜４４により、適切な弾性力を得ている。サスペンション３３には、先端側の第４開口４４内に延長するように磁気ヘッド本体３５を支える保持用舌片４７が形成されると共に、最先端に磁気ヘッド本体３５の熱をサスペンション３３へ放熱させるための放熱片４８が形成される。サスペンション３３には、固定体３２の端辺に組み立て時の位置決めに供される２つの切り欠き部４９ａ,４９ｂが形成される。サスペンション３３の先端には、磁気ヘッド本体３５を両側から挟持的に保持できるように両側を折曲したヘッド保持部５０が形成され、且つ折曲されたヘッド保持部５０から上面にかけて磁気ヘッド本体３５側の突起が嵌入する一対の嵌入孔５１が形成される。
【００３３】
アーム３４は、図１、図６Ａ，Ｂに示すように、平板材からなり、固定体３２側から磁気ヘッド本体３５側に向かって延長する両側部３４ａ，３４ｂを有し、両側部３４ａ、３４ｂの固定体３２側の端部５４「５４ａ,５４ｂ」が下面側に折曲させ更に両側部３４ａ、３４ｂの面と平行するように折り返されるようにして形成される。この折曲された端部５４ａ、５４ｂは、固定体３２の係合孔３８ａ、３８ｂに係合されるものである。このアーム３４は、さらに両側部３４ａ、３４ｂの先端が連結されると共に、両側部３４ａ及び３４ｂの中間が連結され、先端に近い両側部３４ａ、３４ｂの一部に夫々内側に突出する一対の突出部５３が形成され構成される。
【００３４】
電磁変換部となる磁気ヘッド本体３５は、図７に示すように、光磁気ディスクと接触摺動する摺動部（いわゆるスライダ）５５を有する例えばプラスチックよりなるブロック部５６と、垂直記録磁界を発生する磁性コア５７にコイルを巻装した電磁変換部５８を装着してなる磁気ヘッド素子５９とから成る。本例では、磁気ヘッド素子５９がブロック部５６の摺動部５５近傍に装着される。ブロック部５６の両側には、サスペンション３３の先端のヘッド保持部５０の嵌入孔５１に嵌入する一対の突起６０が形成され、さらに、折曲されたヘッド保持部５０の内面に当接する一対の突起６１が形成される。
【００３５】
図7は、これら固定体３２、サスペンション３３及びアーム３４の分解した状態を示す。磁気ヘッド本体３５は、サスペンション３３の先端のヘッド保持部５０に挟持的に固定される。即ち、磁気ヘッド本体３５は、サスペンション３３側のヘッド保持部５０の嵌入孔５１に、ヘッド側の突起６０を嵌入し、且つヘッド側の突起６１をヘッド保持部５０の内面に当接してサスペンション３３の先端に保持される。
【００３６】
サスペンション３３は、その固定体３２側の端部４９を固定体３２の先端下面に当接し、固定体３２に接合される。接合は例えば抵抗スポット溶接で行うことができる。サスペンション３３は幅方向の同一線上の複数箇所、本例では４つの溶接点aで固定体３２に対してスポット溶接される。
【００３７】
アーム３４は、図３の拡大図に示すように、その折曲された両端部５４ａ、５４ｂを固定体３２の係合孔３８ａ、３８ｂに上から挿入し固定体３２の下面に沿うようにして係止され、一定の高さを保つようになされる。アーム３４は、固定体３２の係合孔３８[３８ａ,３８ｂ]を中心には回動可能になされ、しかも光磁気ディスク側へは係合孔３８[３８ａ,３８ｂ]に挿入された端部５４[５４a,５４b]が固定体３２の下面に当接することより、それ以上の回転が規制される。即ち、アーム３４は、固定体３２の面と平行した状態で回転角度が規制されることになる。
【００３８】
このアーム３４の下面にサスペンション３３の上面が当接するようにして、サスペンション３３の所定部分、本例では図３に示すように２つの折曲部４０を超えた部分が接合される。本例では抵抗スポット溶接で接合される。溶接位置は、サスペンション33及びアーム３４の幅方向の略同一線上の複数箇所、本例では２つの溶接点ｂとする。サスペンション３３の端部４９の切り欠き部４９ａ,４９ｂは、アーム３４の両端部４４ａ,４４ｂに係合されることにより、位置決めを容易にする。
【００３９】
固定体３２、サスペンション３３及びアーム３４の相互の接合には、抵抗スポット溶接以外に、例えばレーザ溶接を用いることもできる。
【００４０】
サスペンション３３では、図1に示すように、固定体３２との溶接点とアーム３４との溶接点との間の領域で第1弾性部４５、即ち第1バネ系が形成され、アーム３４との溶接点と磁気ヘッド本体３５の取り付け近傍部との間の領域で第２弾性部４６、即ち第２バネ系が形成される。そして、サスペンション３３が固定体３２とアーム３４の溶接点間で上に凸となるような折曲部４０を有していることによって、従って第１弾性部４５によって、アーム３４は固定体３２の係止部（下面）に所定の力量で当接されることになる。アーム３４は、サスペンション３３の弾性により、光磁気ディスク側に付勢される。
【００４１】
固定体３２及びサスペンション３３は、例えばステンレス材で構成することができる。固定体３２の厚みは、例えば０．１５ｍｍ〜０．４ｍｍ程度とすることができる。サスペンション３３の厚みは、例えば３０μm〜７０μm程度とすることができる。サスペンション３３には、ステンレス材の中でも弾性のあるバネ材を用いて構成するのがよい。アーム３４は、例えば厚みが０．１５ｍｍ〜０．４ｍｍ程度のステンレス材で構成することができる。これらの固定体３２、サスペンション３３、アーム３４の材料は、ステンレス材の他に、略同様の物理特性を有する材料で構成することができる。
【００４２】
固定体３２、サスペンション３３及びアーム３４の相互間の接合の順序は問わないが、上述したように、最初にサスペンション３３と固定体３２とを接合し、次いでアーム３４を固定体３２の係合孔３８に挿入し、アーム３４の下面とサスペンション３３の上面とを接合する手順が好ましい。また、上述では最初にサスペンション３３の先端に磁気ヘッド本体３５を固定した後、各接合を行ったが、この磁気ヘッド本体３５のサスペンション３３への固定の順序は問わない。６５は、磁気ヘッド素子のコイル端子に接続されるフレキシブルプリント基板を示す。
【００４３】
上述の光磁気記録用摺動型磁気ヘッド３１の動作を説明する。アーム３４は、両側部４４〔４４ａ，４４ｂ〕の２段に折曲された折曲端部５４〔５４ａ，５４ｂ〕が固定体３２の係合孔３８〔３８ａ，３８ｂ〕に上から挿入され、折曲端部５４の先端が固定体３２の下面に沿うようにして装着される。この状態で、アーム３４は、固定体３２に対して係合孔３８の挿入部分を中心に回動可能になる。また、アーム３４は、折曲端部５４の先端上面が固定体下面（第１係止部）に当接し、折曲端部近傍のアーム下面が固定体上面（第２係止部）に当接する回動位置で、それ以上の下方への回動が阻止される。即ちアーム３４は、上記２つの係止部によって後述するように光磁気ディスク側への回転角度が規制され、アーム高さが決定される。アーム３４は、サスペンション３３の第１弾性部４５の弾力によって下方に付勢されると共に、第１弾性部４５の弾力に抗して固定体３２の係止部を中心に係止位置から上方に回動される。
【００４４】
本実施の形態に係る光磁気記録用摺動型磁気ヘッド３１によれば、固定体３２の係合孔３８内にアーム３４の端部５４を上から挿入し、アーム３４を固定体３２に回動可能に係合すると共に、」リブなし構造のサスペンション３３を固定体３２とアーム３４に接合した構成とすることにより、サスペンション３３のバネの塑性変形がなく、アーム３４の高さを安定にし、ヘッド高さを安定にすることができる。また、固定体３２に係合孔３８を設け、この係合孔３８にアーム３４の端部５４を係合し、サスペンション３３を固定体32及びアーム３４の下面に接合するようになし、サスペンション３３でアーム３４の下面側からアーム３４を下側に付勢させることにより、構造が簡略化され、コスト低減を図ることができる。また部品点数を抑え、金型初期投資、部品代、アッセンブリ費用を節減することができる。
因みに、サスペンションに係合部を設け、アームの上面側からアームを付勢する方法も考えられるが、構造が複雑になり、コストアップに繋がる。また、サスペンションでアームを付勢することなく、別の弾性部品によりアームを下側へ付勢する方法も考えられるが、部品点数が増え、金型初期投資、部品代、アッセンブリ費用などが嵩み、得策でない。
【００４５】
サスペンション３３の弾性部は大きく分けて、第１弾性部４５と第２弾性部４６から構成される。第１の弾性部４５は、アーム３４を所定の力量で固定体３２の係止部、即ち係合孔３８に隣接する下面に当接させるものであり、第２の弾性部４６は、光磁気ディスクの面へ磁気ヘッド本体３５を追従させるものである。このとき、アーム３４とサスペンション３３との接合は、図１に示すような固定体３２との接合点から離れた位置に複数箇所、本例では２箇所で接合することにより、第１弾性部４５及び第２弾性部４６の両方の長さを十分に確保している。このため、弾性限界に対するマージンを十分とることができ、バネの塑性変形を招くことがない。
因みに、第１弾性部４５及び第２弾性部４６の各長さが短いと弾性限界に対するマージンが十分とれず、バネの塑性変形を招くことになる。
【００４６】
固定体３２、サスペンション３３及びアーム３４の相互間の接合には、上例では抵抗スポット溶接を用いている。レーザ溶接ではなく、抵抗スポット溶接を用いるときは、比較的安価な装置で、確実にアッセンブリを行うことができる。
溶接する部品を上下で挟み込んで接合を行う抵抗スポット溶接を用いるときは、図８に示すように曲げのついたサスペンション３３を固定体３２に接合した後にアーム３４に接合する場合に発生するサスペンション３３の反力によるアーム３４の面からの浮きを抑えることができる。
【００４７】
本実施の形態に係る光磁気記録用摺動型磁気ヘッド３１は、情報記録再生装置、特に超小型光磁気ディスク用の光磁気記録再生装置に適用して好適である。図９は、上記の光磁気記録用摺動型磁気ヘッド３１を備えた情報記録再生装置の一実施の形態を示す。本例では光磁気記録再生装置に適用した場合である。なお、同図は要部の概略構造を示す。
【００４８】
本実施の形態に係る光磁気記録再生装置７１は、図９に示すように、開閉自在の蓋体７２を有する筐体７３内に、光学ピックアップ７４が配置されるとともに、蓋体７２の開閉に伴って可動するように光磁気記録用摺動型磁気ヘッド３１が配置されて成る。筐体７３内には、光磁気記録用摺動型磁気ヘッド３１の固定体３２と光ピックアップ７４とを連結するためのコの字型ジョイント部材７５が配置され、光学ピックアップ７４がコの字型ジョイント部材７５の下側部７５ｂにビス７８を介して取り付けられ、固定体３２がコの字型ジョイント部材７５の上側部７５ａにビス７９を介して取り付けられる。
【００４９】
光学ピックアップ７４と磁気ヘッド３１は、レーザスポットと光軸とが合うように、固定体３２とジョイント部材７５との固定時にアライメントされ、固定体３２の中央の取り付け孔３７の固定用にビス７９を通して固定される。固定体３２に設けられ孔３７は、ビス７９の径、例えばＭ１．４ｍｍに対して、Φ１．８ｍｍといったように、大きめの孔３７が設けられる。このクリアランスの範囲内で磁性コア位置の調整が可能となる。
ジョイント部材７５の上側部７５ａには、図１０に示すように２箇所にアーム３４の固定体３２の係合孔３８に挿入された端部３８[３８ａ,３８ｂ]の逃げ部となる凹部８３が設けられる。
【００５０】
磁気ヘッド３１の下部には待機状態（ストップ、プレイ）、筐体の開蓋状態（イジェクト）で磁気ヘッド本体３５を光磁気記録媒体である光磁気ディスク本体側から離すための跳ね上げプレート７６が配置される。７７は筐体７３の蓋体７２の開閉の回転中心を示す。８６は光磁気ヘッド素子５９のコア中心を示す。
【００５１】
この光磁気記録再生装置７１では、記録又は再生時に光磁気記録媒体である光磁気ディスク本体８１を収納した光磁気ディスクカートリッジ８２が筐体７３内のカートリッジホルダ（図示せず）に保持されて装着される。記録時には、跳ね上げプレート７６が移動することにより、磁気ヘッド３１が待機状態を解除して光磁気ディスク本体８１に接触する。この状態で光磁気ディスク本体８１が中心軸８５を中心に回転され、記録が開始される。再生時は、磁気ヘッド３１が待機状態に保持され、光学ピックアップ７４により再生が行われる。
【００５２】
図９では、磁気ヘッド３１の待機状態と記録状態を示している。待機状態での磁気ヘッド３１の高さh11 が、特にポータブルの光磁気記録再生装置では重要となり、商品価値を決定する重要な要素となる。待機状態での磁気ヘッド３１の高さh11 は、光磁気ディスクカートリジ２２の下面から磁気ヘッド３１までの高さとする。本実施の形態では、待機状態での磁気ヘッド３１の高さｈ11が上述の固定体３１、サスペンション３３及びアーム３４の３点部品の構成により、アーム３４と固定体３２との係止位置の関係で一意的に決定され、磁気ヘッド３１の高さｈ11を飛躍的に安定させることができる。
また、アーム３４と固定体３２とは、物理的な結合が高さ方向の係止関係のみであり、磁気ヘッド本体３５の磁性コア位置は、専らサスペンション３３と固定体３２との結合によって決定される。
【００５３】
本実施の形態では、サスペンション３３とアーム３４とが幅方向の略直線上の位置の２箇所で接合されて構成される。これにより、サスペンション３３の第１弾性部４５と第２弾性部４６の、双方の長さを長くとることができ、前述した従来の磁気ヘッドと比較して本来のバネ特性を生かすことができ、バネ変形までのマージンを確保できる。
【００５４】
ポータブル型の超小型光磁気記録再生装置は、薄型化を実現するためにディスクカートリジの抜き差しを行う構造として、図１１に示すようなピボット７７を回転中心として、磁気ヘッド３１ごと斜めに傾斜させるカンガールーポケット方式が用いられている。この方式では、光ピックアップ７４に固定されたジョイント部材７５はそのままで、磁気ヘッド３１を跳ね上げる方法が採られている。この磁気ヘッド３１の跳ね上げ角度は１０°〜１４°程度である。このため、サスペンション３３の固定体３２付近は大変形となるが、本実施の形態では、固定体３２付近の弾性部４５をバネとしては最も素直な片持ち梁的な方法で十分な長さを採って構成できるので、弾性部の塑性変形が回避される。
【００５５】
図１２及び図１３は、磁気ヘッドの待機状態→筐体開蓋状態の繰り返し動作による、ヘッド最大高さへの影響を本実施の形態の磁気ヘッド３１と前述した従来の磁気ヘッド１とで比較したグラフである。従来の磁気ヘッド１は、図１３に示すように繰り返し動作により、前述したようにヘッド高さが高くなってしまい、筐体１５（特に蓋体１４）と接触する問題がある。このため、その分だけ図１６で説明したように筐体１５とのクリアランスＨ1 を余計に確保する必要があった。また、記録時の磁気ヘッド素子のコア位置ずれが生じ記録不能の原因となる。しかし、本実施の形態の磁気ヘッド３１は、図１２に示すように繰り返し動作によってもヘッド高さに変動がなく、ヘッド高さが安定し、図９に示すように筐体７３（特に蓋体７２）とのクリアランスＨ2 を従来より小さくすることができる（Ｈ2 ＜Ｈ1 ）。また、記録時の磁気ヘッド素子のコア位置ずれが生ぜず、記録不能にならない。
【００５６】
図１４及び図１５は、本発明に係る光磁気記録用摺動型磁気ヘッドの他の実施の形態を示す。本実施の形態に係る光磁気記録用摺動型磁気ヘッド１０１は、固定体１０２と、固定体１０２に接合され、自由状態で光磁気記録媒体側へ湾曲されたサスペンション１０３と、固定体１０２に光磁気記録媒体側への回転角度が規制されるように回転可能に係合され且つサスペンション１０３と接合され、サスペンション１０３の弾性により光磁気記録媒体側へ付勢されるアーム１０４と、光磁気記録媒体側と摺接する摺動部を有する電磁変換部、すなわち磁気ヘッド本体３５とを有し、アーム１０４がサスペンション１０３の一部に当接して回転規制されるように構成される。磁気ヘッド３５は、前述と同様の構成である。
【００５７】
固定体１０２は、図１７Ａ，Ｂに示すように、平板材よりなり、長方形の長手方向の一辺が突出するような形状に形成され、長手方向の中央及び両端に取付け孔１０７が形成されると共に、１辺の突出部に長手方向に沿って２つの切り欠き部１０８[１０８a、１０８ｂ]が形成されて成る。この２つの切り欠き部１０８a、１０８ｂは、後述するようにアーム１０４の一方の端部が回動可能に挿入される開口の形成に供される。
【００５８】
サスペンション１０３は、図１５及び図１８Ａ，Ｂに示すように、前述のサスペンション３３と略同様に形成される。即ち、サスペンション１０３は、平板状をなす板バネ材から成り、固定体３２側よりアーム３４の先端部側に延長するように形成される。サスペンション１０３は、自由状態で光磁気記録媒体、例えば光磁気ディスク側に湾曲するように中間の複数箇所、本例では４箇所を同方向に折曲して形成される。１１０は折曲部を示す。平板状のサスペンション１０３は、長手方向に沿う中央の複数箇所に開口が形成され、本例では第1、第２、第３、第４の開口１１１，１１２，１１３，１１４が形成され、後述するようにその固定体側に第1弾性部１１５（即ち第1バネ系）が形成され、第1弾性部１１５より先端側に第２弾性部１１６（即ち第２バネ系）が形成される。サスペンション１０３では、中央に沿って形成した複数の開口１１１〜１１４により、適切な弾性力を得ている。サスペンション１０３には、先端側の第４開口１１４内に延長するように磁気ヘッド本体３５を支える保持用舌片１１７が形成されると共に、最先端に磁気ヘッド本体３５の熱をサスペンション１０３へ放熱させるための放熱片１１８が形成される。サスペンション１０３では、その固定体１０２に接合される端部を、固定体１０２の2つの切り欠き部１０８a、１０８ｂの一部を跨いで切り欠き部１０８[１０８ａ、１０８ｂ]による２つの開口、いわゆる係合孔が形成される架橋部１０９としている。サスペンション１０３の先端には、前述と同様に、磁気ヘッド本体３５を両側から挟持的に保持できるように両側を折曲したヘッド保持部１２０が形成され、且つ折曲されたヘッド保持部１２０から上面にかけて磁気ヘッド本体３５側の突起が嵌入する一対の嵌入孔１２１が形成される。
【００５９】
アーム１０４は、図１４、図１９Ａ，Ｂに示すように、平板材からなり、固定体１０２２側から磁気ヘッド本体３５側に向かって延長する両側部１０４ａ，１０４ｂを有し、両側部１０４ａ、１０４ｂの固定体１０２側の端部１２４「１２４ａ,１２４ｂ」が下面側に折曲させ更に両側部１０４ａ、１０４ｂの面と平行するように折り返されるようにして形成される。この折曲された端部１２４ａ、１２４ｂは、固定体１０２の切り欠き部１０８a及び１０８ｂとサスペンション１０３の架橋部１０９とにより形成される開口、即ち係合孔に係合されるものである。このアーム１０４は、さらに両側部１０４ａ、１０４ｂの先端が連結部１２７により連結されると共に、両側部１０４ａ及び１０４ｂの中間が連結され、端部１２４側に側部１０４aに連続してフレキシブルプリント基板６５の受け部１２６が形成されて構成される。
【００６０】
アーム１０４の板厚、固定体１０２の板厚及びサスペンション１０３の板厚は前述と同様の厚さにすることができる。特に、本実施の形態では、アーム１０４の板厚を固定体１０２の板厚より薄い平板材で形成することが望まれる。従って、本例ではアーム１０４の板厚ｔ１と固定体１０２の板厚ｔ２とサスペンション１０３の板厚ｔ３の関係は、ｔ３＜ｔ１＜ｔ２とする（図１６参照）。
電磁変換部となる磁気ヘッド本体３５は、前述の図７に示すと同様の構成であるので、重複説明を省略する。
【００６１】
図２０は、これら固定体１０２、サスペンション１０３及びアーム１０４の分解した状態を示す。磁気ヘッド本体３５は、サスペンション１０３の先端に保持される。サスペンション１０３の端部の架橋部１０９が固定体１０２の下面に２つの切り欠き部１０８ａ及び１０８ｂの一部を跨ぐようにして架橋接合される。固定体１０２では、切り欠き部１０８[１０８ａ、１０８ｂ]と架橋部１０９により、２つの開口、即ち係合孔１３１[１３１ａ及び１３１ｂ]が形成される。固定体１０２とサスペンション１０３の接合、及びアーム１０４とサスペンション１０３の接合は、例えば抵抗スポット溶接で行うことができる。
【００６２】
サスペンション１０３の架橋部１０９と固定体１０２の接合は、前述と同様にサスペンション１０３の幅方向の同一線上の複数箇所、本例では4つの溶接点ａで溶接される。サスペンション１０３とアーム１０４の接合は、本例では4つの溶接点ｂで溶接される。
【００６３】
アーム１０４は、図１６の拡大図に示すように、折曲された両端１２４[１２４ａ、１２４ｂ]を固定体１０２の切り欠き部１０８［１０８ａ，１０８ｂ］とサスペンション１０３の架橋部１０９とによって形成された係合孔１３１[１３１ａ１３１ｂ]の上から挿入し固定体１０２の下面に沿うようにして係止され、一定の高さを保つようになされる。この場合、サスペンション１０４の架橋部１０９の上面にアーム１０４の下面が当接し、固定体１０２の下面にアーム１０４の上面が当接することになる。また、アーム１０４の板厚ｔ１が固定体１０２の板厚ｔ２より薄く形成されているので、アーム１０４が固定体１０２に対して水平状態で係合されている状態では、アーム１０４は固定体１０２の上面から突出することはない。アーム１０４は、サスペンション１０３の架橋部１０９の当接部を中心に回転可能になされ、しかも、光磁気ディスク側へは係合孔１３１[１３１ａ、１３１ｂ]に挿入された端部１２４［１２４ａ、１２４ｂ］が固定体１０２の下面に当接することにより、それ以上の回転が規制される。つまり、前述の図３と同様に、アーム１０４は、固定体１０２の面と平行した状態で回転角度が規制される。
【００６４】
固定体１０２、サスペンション１０３及びアーム１０４の相互の接合、アーム１０４のサスペンション１０３の弾性による光磁気ディスク側への付勢等は、前述と同様であるので、重複説明を省略する。磁気ヘッド素子のコイル端子に接続されたフレキシブルプリント基板６５は、アーム１０４の連結部１２７及び受け部１２６上に沿って配置される。
【００６５】
本実施の形態に係る光磁気記録用摺動型磁気ヘッド１０１の動作は、基本的に図１の実施の形態の光磁気記録用摺動型磁気ヘッド３１と同様である。
本実施の形態に係る光磁気記録用摺動型磁気ヘッド１０１によれば、アーム１０４の回転規制の一方の係止部を、固定体１０２の下面に接合したサスペンション１０３の架橋部１０９により構成するので、固定体１０２、サスペンション１０３及びアーム１０４を一体にとした組み立て体のアーム取り付け側の全体の高さ（いわゆる厚さ）ｈ２を、図１の光磁気記録用摺動型磁気ヘッド３１の同様の組み立て体の高さ(いわゆる厚さ)ｈ１に比べて、更に低くすることができ、光磁気記録装置の更なる薄型化を図ることができる。
【００６６】
即ち、図２２に示すように、光磁気記録用摺動型磁気ヘッド１０１においては、アーム１０４の下面１０４ａが固定体１０２の下面１０２ａと同じ高さにすることができる。これによって、固定体、サスペンション及びアームの組み立て体の全体の高さｈ２が図２１の同じ組み立て体の全体の高さｈ１に比べて、アーム１０４の板厚に相当する分薄くすることができる。従って、この光磁気記録用摺動型磁気ヘッド１０１を組み込んだ光磁気記録再生装置１４１と、光磁気記録用摺動型磁気ヘッド３１を組み込んだ光磁気記録再生装置７１とを比較すると、光磁気ディスクカートリッジ８２の底面から固定体、サスペンション及びアームの組み立て体の上面までのトータル高さが、光磁気記録用摺動型磁気ヘッド３１のトータル高さｈ３より光磁気記録用摺動型磁気ヘッド１０１のトータル高さｈ４の方が低くなる。従って、本実施の形態の光磁気記録用摺動型磁気ヘッド１０１を備えた光磁気記録再生装置は、さらに薄型化が図れる。なお、光磁気記録再生装置１４１は、光磁気記録再生装置７１と対応する部分には同一符号を付して重複説明を省略する。
【００６７】
光磁気記録用摺動型磁気ヘッド１０１においては、その他、光磁気記録用摺動型磁気ヘッド３１で説明した特許同様の作用、効果を奏する。
【００６８】
本発明に係る光磁気記録用摺動型磁気ヘッドの更に他の実施の形態としては、アームが固定体により回動規制された状態で、アームの上面の位置が固定体の上面の位置と同じか、またはそれより下に位置するように構成することができる。
図２５Ａ，Ｂは、その一例を示す。本実施の形態に係る光磁気記録用摺動型磁気ヘッド１４１，１４２は、前述の図２に示すと同様に固定体３２に係合孔３８［３８ａ,３８ｂ］を形成し、この係合孔３８［３８ａ,３８ｂ］にアーム３４の端部５４［５４ａ,５４ｂ］を挿入して回動可能に係合させる。そして、アーム３４の下面に当接する固定体３２の部分３２ｃの厚みを薄くし、アーム３２の上面が固定体３２の上面の位置以下の位置に存するように構成する。
このようなこう構成においても、固定体、サスペンション及びアームの組み立て体の全体の高さが図２の同じ組み立て体の全体の高さに比べて、アーム３４の板厚に相当する分薄くすることができる。従って、本実施の形態の光磁気記録用摺動型磁気ヘッド１４１，１４２を備えた光磁気記録再生装置は薄型化することができる。
【００６９】
さらに本発明に係る光磁気記録用摺動型磁気ヘッドは、例えば、前述の図１５、図２５Ａ，Ｂに示すように、アームを２箇所で回転規制し、アームの上面に接する固定体の下面を一方の回転規制部とし、アームの下面に接する他方の回転規制部を固定体の上面より低い位置に存するように構成することができる。
このように構成することにより、固定体、サスペンション及びアームの組み立て体の全体の高さが図２の同じ組み立て体の全体の高さに比べて、アームの板厚に相当する分薄くすることができる。従って、このような構成の光磁気記録用摺動型磁気ヘッドを備えた光磁気記録再生装置は、薄型化することができる。
【図面の簡単な説明】
【００７０】
【図１】本発明に係る光磁気記録用摺動型磁気ヘッドの一実施の形態を示す平面図である。
【図２】本発明に係る光磁気記録用摺動型磁気ヘッドの一実施の形態を示す一部断面とする側面図である。
【図３】図２の要部の拡大断面図である。
【図４】Ａ  本発明に係る光磁気記録用摺動型磁気ヘッドの一実施の形態の固定体を示す平面図である。    Ｂ  その断面図である。
【図５】Ａ  本発明に係る光磁気記録用摺動型磁気ヘッドの一実施の形態のサスペンションを示す平面図である。    Ｂ  その側面図である。    Ｃ  その要部の拡大斜視図である。
【図６】Ａ  本発明に係る光磁気記録用摺動型磁気ヘッドの一実施の形態のアームを示す平面図である。    Ｂ  その側面図である。
【図７】本発明に係る光磁気記録用摺動型磁気ヘッドの一実施の形態の磁気ヘッド本体を示す斜視図である。
【図８】本発明に係る光磁気記録用摺動型磁気ヘッドの一実施の形態の固定体とサスペンションとアームの分解図である。
【図９】本発明に係る光磁気記録用摺動型磁気ヘッドを備えた情報記録再生装置の一実施の形態を示す要部の構成図である。
【図１０】図９の情報記録再生装置のジョイント部材と磁気ヘッドの要部の分解図である。
【図１１】本発明に係る光磁気記録用摺動型磁気ヘッドを備えた情報記録再生装置の一実施の形態を示す筐体の開蓋状態の構成図である。
【図１２】本発明の光磁気記録用摺動型磁気ヘッドにおける、記録状態、待機状態及び筐体開蓋状態での各ヘッド高さ（アーム先端高さ）を示すグラフである。
【図１３】従来の光磁気記録用摺動型磁気ヘッドにおける、記録状態、待機状態及び筐体開蓋状態での各ヘッド高さ（アーム先端高さ）の変動を示すグラフである。
【図１４】本発明に係る光磁気記録用摺動型磁気ヘッドの他の実施の形態を示す平面図である。
【図１５】本発明に係る光磁気記録用摺動型磁気ヘッドの他の実施の形態を示す一部断面とする側面図である。
【図１６】図１５の要部の拡大断面図である。
【図１７】Ａ  本発明に係る光磁気記録用摺動型磁気ヘッドの他の実施の形態の固定体を示す平面図である。    Ｂ  その断面図である。
【図１８】Ａ  本発明に係る光磁気記録用摺動型磁気ヘッドの他の実施の形態のサスペンションを示す平面図である。    Ｂ  その側面図である。
【図１９】Ａ  本発明に係る光磁気記録用摺動型磁気ヘッドの他の実施の形態のアームを示す平面図である。    Ｂ  その側面図である。
【図２０】本発明に係る光磁気記録用摺動型磁気ヘッドの他の実施の形態の固定体とサスペンションとアームの分解図である。
【図２１】図２の光磁気記録用摺動型磁気ヘッドの要部の高さｈ１の説明図である。
【図２２】図１５の光磁気記録用摺動型磁気ヘッドの要部の高さｈ２の説明図である。
【図２３】図２の光磁気記録用摺動型磁気ヘッドを備えた光磁気記録再生装置の高さｈ３の説明図である。
【図２４】図１５の光磁気記録用摺動型磁気ヘッドを備えた光磁気記録再生装置の高さｈ４の説明図である。
【図２５】Ａ，Ｂ  夫々本発明に係る光磁気記録用摺動型磁気ヘッドの更に他の実施の形態を示す要部の構成図である。
【図２６】Ａ  従来の光磁気記録用摺動型磁気ヘッドの例を示す平面図である。    Ｂ  その側面図である。    Ｃ  図１２ＡのＡーＡ線上の断面図である。
【図２７】Ａ〜Ｅ  従来の光磁気記録用摺動型磁気ヘッドのサスペンションのリブ部分の変動を示す説明図である。
【図２８】従来の光磁気記録用摺動型磁気ヘッドを備えた情報記録再生装置の例を示す構成図である。
【図２９】従来の光磁気記録用摺動型磁気ヘッドの説明に供する説明図である。
【符号の説明】
【００７１】
３１，１０１・・光磁気記録用摺動型磁気ヘッド、３２，１０２・・固定体、３３、１０３・・サスペンション、３４、１０４・・アーム、３５・・磁気ヘッド本体、３８[３８a,３８b]、１３１[１３１a,１３１ｂ]・・係合孔、４０，１１０・・折曲部、４１〜４４、１１１〜１１４・・開口、４５、１１５・第1弾性部、４６、１１６・・第２弾性部、４７、１１７・・保持部、５４ａ,４５ｂ、１２４a,１２４ｂ・・アーム端部、５５・・摺動部、５６・・ブロック体、５９・・磁気ヘッド素子、７１,１４１・・光磁気記録再生装置、７２・・蓋体、７３・・筐体、７４・・光学ピックアップ、７５・・ジョイント部材、７６・・跳ね上げプレート、８１・・光磁気ディスク本体、８２・・光磁気ディスクカートリッジ
【図１】
2005063630.tif 000003
【図２】
2005063630.tif 000004
【図３】
2005063630.tif 000005
【図４】
2005063630.tif 000006
【図５】
2005063630.tif 000007
【図６】
2005063630.tif 000008
【図７】
2005063630.tif 000009
【図８】
2005063630.tif 000010
【図９】
2005063630.tif 000011
【図１０】
2005063630.tif 000012
【図１１】
2005063630.tif 000013
【図１２】
2005063630.tif 000014
【図１３】
2005063630.tif 000015
【図１４】
2005063630.tif 000016
【図１５】
2005063630.tif 000017
【図１６】
2005063630.tif 000018
【図１７】
2005063630.tif 000019
【図１８】
2005063630.tif 000020
【図１９】
2005063630.tif 000021
【図２０】
2005063630.tif 000022
【図２１】
2005063630.tif 000023
【図２２】
2005063630.tif 000024
【図２３】
2005063630.tif 000025
【図２４】
2005063630.tif 000026
【図２５】
2005063630.tif 000027
【図２６】
2005063630.tif 000028
【図２７】
2005063630.tif 000029
【図２８】
2005063630.tif 000030
【図２９】
2005063630.tif 000031